(57)【要約】    【課題】  土壌の改良効果を向上させた土壌改良剤、及び、この土壌改良剤を用いた土壌改良器並びに土壌改良方法を提供すること。    【解決手段】  本発明では、土壌改良剤において、保水性及び通気性を有する素材と、微生物の餌となる素材と、微生物の住処となる素材とを混在させることにした。特に、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いることにした。また、通水又は通気によって酸素を発生させる酸素剤やガスを吸着するガス吸着剤を添加することにした。【選択図】      図１
2007009011.tif 000002
【特許請求の範囲】
【請求項１】
保水性及び通気性を有する素材と、微生物の餌となる素材と、微生物の住処となる素材とが混在することを特徴とする土壌改良剤。
【請求項２】
前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いたことを特徴とする請求項１に記載の土壌改良剤。
【請求項３】
通水又は通気によって酸素を発生させる酸素剤を添加したことを特徴とする請求項１又は請求項２に記載の土壌改良剤。
【請求項４】
ガスを吸着するガス吸着剤を添加したことを特徴とする請求項１〜請求項３のいずれかに記載の土壌改良剤。
【請求項５】
通気性を有する容器に、保水性及び通気性を有する素材と、微生物の餌となる素材と、微生物の住処となる素材とを混在させた土壌改良剤を充填したことを特徴とする土壌改良器。
【請求項６】
前記土壌改良剤は、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いたことを特徴とする請求項５に記載の土壌改良器。
【請求項７】
前記土壌改良剤に通水又は通気によって酸素を発生させる酸素剤を添加したことを特徴とする請求項５又は請求項６に記載の土壌改良器。
【請求項８】
前記土壌改良剤にガスを吸着するガス吸着剤を添加したことを特徴とする請求項５〜請求項７のいずれかに記載の土壌改良器。
【請求項９】
植物の周囲に竪穴を形成し、この竪穴に土壌改良器を埋設する土壌改良方法であって、前記土壌改良器は、通気性を有する縦長容器に、保水性及び通気性を有する素材と、微生物の餌となる素材と、微生物の住処となる素材とを混在させた土壌改良剤を充填したことを特徴とする土壌改良方法。
【請求項１０】
前記土壌改良剤は、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いたことを特徴とする請求項９に記載の土壌改良方法。
【請求項１１】
前記土壌改良剤に通水又は通気によって酸素を発生させる酸素剤を添加したことを特徴とする請求項９又は請求項１０に記載の土壌改良方法。
【請求項１２】
前記土壌改良剤にガスを吸着するガス吸着剤を添加したことを特徴とする請求項９〜請求項１１のいずれかに記載の土壌改良方法。
【発明の詳細な説明】
【技術分野】
【０００１】
本発明は、土壌改良剤及びこの土壌改良剤を用いた土壌改良器並びに土壌改良方法に関するものである。
【背景技術】
【０００２】
従来より、植物の育成を助長するために、植物が根付いている土壌の通気性や保水性を向上させる土壌改良剤が広く利用されている。
【０００３】
この土壌改良剤としては、特許文献１に開示されているように、保水性及び通気性を有する素材であるピートモスが用いられている。
【０００４】
そして、従来においては、植物の根の周辺にピートモスを埋め込んで、根の周辺の土壌の通気性や保水性を向上させて、植物の育成を助長するようにしていた。
【特許文献１】特開２０００−１６０１６１号公報
【発明の開示】
【発明が解決しようとする課題】
【０００５】
ところが、上記従来のピートモスを用いた土壌改良剤では、土壌の通気性や保水性を向上させることができるものの、それだけでは自ずと効果に限界があり、活力を失った植物を再起させることは困難であった。
【０００６】
そのため、土壌を改質できる微生物を土壌中に散布して、微生物による作用によって土壌を改良することも考えられるが、単にピートモスを埋め込んだ土壌に微生物を散布しても、微生物による作用が発揮できるように微生物を増殖させることはできず、場合によっては微生物が死滅してしまい、微生物による土壌改良効果を得ることができないおそれもあった。
【課題を解決するための手段】
【０００７】
そこで、請求項１に係る本発明では、土壌改良剤において、保水性及び通気性を有する素材と、微生物の餌となる素材と、微生物の住処となる素材とを混在させることにした。
【０００８】
また、請求項２に係る本発明では、前記請求項１に係る本発明において、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いることにした。
【０００９】
また、請求項３に係る本発明では、前記請求項１又は請求項２に係る本発明において、通水又は通気によって酸素を発生させる酸素剤を添加することにした。
【００１０】
また、請求項４に係る本発明では、前記請求項１〜請求項３のいずれかに係る本発明において、ガスを吸着するガス吸着剤を添加することにした。
【００１１】
また、請求項５に係る本発明では、土壌改良器において、通気性を有する容器に、保水性及び通気性を有する素材と、微生物の餌となる素材と、微生物の住処となる素材とを混在させた土壌改良剤を充填することにした。
【００１２】
また、請求項６に係る本発明では、前記請求項５に係る本発明において、前記土壌改良剤は、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いることにした。
【００１３】
また、請求項７に係る本発明では、前記請求項５又は請求項６に係る本発明において、前記土壌改良剤に通水又は通気によって酸素を発生させる酸素剤を添加することにした。
【００１４】
また、請求項８に係る本発明では、前記請求項５〜請求項７のいずれかに係る本発明において、前記土壌改良剤にガスを吸着するガス吸着剤を添加することにした。
【００１５】
また、請求項９に係る本発明では、植物の周囲に竪穴を形成し、この竪穴に土壌改良器を埋設する土壌改良方法において、前記土壌改良器は、通気性を有する縦長容器に、保水性及び通気性を有する素材と、微生物の餌となる素材と、微生物の住処となる素材とを混在させた土壌改良剤を充填することにした。
【００１６】
また、請求項１０に係る本発明では、前記請求項９に係る本発明において、前記土壌改良剤は、前記保水性及び通気性を有する素材としてピートモスを用い、前記微生物の餌となる素材として粉末状の竹を醗酵させた醗酵竹パウダーを用い、前記微生物の住処となる素材として粉末状の竹炭パウダーを用いることにした。
【００１７】
また、請求項１１に係る本発明では、前記請求項９又は請求項１０に係る本発明において、前記土壌改良剤に通水又は通気によって酸素を発生させる酸素剤を添加することにした。
【００１８】
また、請求項１２に係る本発明では、前記請求項９〜請求項１１に係る本発明において、前記土壌改良剤にガスを吸着するガス吸着剤を添加することにした。
【発明の効果】
【００１９】
そして、本発明では、以下に記載する効果を奏する。
【００２０】
すなわち、本発明では、土壌改良剤において、保水性及び通気性を有する素材と、微生物の餌となる素材と、微生物の住処となる素材とを混在させているために、土壌中の保水性や通気性を向上させることができるとともに、微生物の増殖や活動を促進させることができ、微生物の作用によって土壌の改良を行うこともでき、土壌改良剤としての効果を向上させることができる。
【００２１】
しかも、土壌改良剤に通水や通気によって酸素を発生させる酸素剤を添加した場合には、保水性及び通気性を有する素材によって酸素剤への通水や通気が良好に行われることになり、酸素剤から効率よく酸素を発生させることができ、これにより、踏圧された土壌の改良を行うことができるとともに、好気性微生物の増殖や活動を促進させることができ、土壌改良剤としての効果をより一層向上させることができる。
【００２２】
さらに、土壌改良剤にガスを吸着するガス吸着剤を添加した場合には、土壌中の腐敗ガスを減少させることができ、植物の根の成長を促進させることができるとともに、微生物に悪影響を与えるガスが減少することによって微生物の増殖や活動を促進させることができ、これによっても土壌改良剤としての効果をより一層向上させることができる。
【発明を実施するための最良の形態】
【００２３】
以下に、本発明の具体的な実施形態について説明する。
【００２４】
本発明に係る土壌改良方法は、植物の周囲に竪穴を形成し、この竪穴に土壌改良器を埋設する土壌改良方法であり、本発明に係る土壌改良器は、通気性を有する縦長容器に土壌改良剤を充填したものであり、さらに、本発明に係る土壌改良剤は、保水性及び通気性を有する素材と、微生物の餌となる素材と、微生物の住処となる素材とを混在させたものである。
【００２５】
まず、土壌改良剤について説明すると、土壌改良剤は、保水性及び通気性を有する素材としてピートモスを用い、土壌改良作用を有する微生物の餌となる素材として粉末状の竹を醗酵させた醗酵竹パウダーを用い、微生物の住処となる素材として粉末状の竹炭パウダーを用い、これらのピートモスと醗酵竹パウダーと竹炭パウダーとを混合したものである。これらの混合比率は、使用する土壌の状態によって異なるが、通常、ピートモスを５０〜８０重量％、醗酵竹パウダーを３０〜１０重量％、竹炭パウダーを２０〜１０重量％としている。
【００２６】
ここで、土壌改良剤は、均一に混合でき、通気性や通水性に偏りが生じないようにするために、繊維長の異なる繊維素材を混在させており、具体的には、比較的繊維の短いＡ級ピートモスと比較的繊維の長いＣ級ピートモスとを混在させている。
【００２７】
また、土壌改良剤は、微生物の餌となる素材として、それ自体が植物の肥料としても有効に機能する素材を用いており、具体的には、上記したように竹を粉砕した後に醗酵させた醗酵竹パウダーを用いている。
【００２８】
このように、土壌改良剤は、保水性及び通気性を有する素材を含有しているために、この土壌改良剤を植物の根の周辺の土中に埋め込むことによって、根周辺の土壌中の通水や通気が良好に行われるようになり、植物の生育を助長することができる。
【００２９】
また、土壌改良剤は、土壌改良作用を有する微生物の餌となる素材と微生物の住処となる素材とを含有しているために、微生物の増殖や活動を促進させることができ、微生物の作用によって土壌の改良を行うことができる。
【００３０】
しかも、土壌改良剤は、保水性及び通気性を有する素材をも含有しているために、微生物にとっても通水や通気によって増殖や活動が促進させられることになり、微生物の作用による土壌改良効果を向上させることができる。
【００３１】
このように、土壌改良剤は、保水性及び通気性を有する素材と、微生物の餌となる素材と、微生物の住処となる素材とが混在しているために、これらの素材の相乗効果によって土壌改良剤としての土壌改良効果を向上させることができる。
【００３２】
この土壌改良剤は、さらに土壌改良効果を向上させるために、通水や通気によって酸素を発生させる酸素剤やガスを吸着するガス吸着剤を添加することができる。この場合の添加比率についても使用する土壌の状態によって異なるが、通常、２〜５重量％程度添加する。
【００３３】
このように、上記土壌改良剤に通水や通気によって酸素を発生させる酸素剤を添加した場合には、保水性及び通気性を有する素材によって酸素剤への通水や通気が良好に行われることになり、酸素剤から効率よく酸素を発生させることができ、これにより、踏圧された土壌の改良を行うことができるとともに、好気性微生物の増殖や活動を促進させることができ、土壌改良剤としての効果をより一層向上させることができる。
【００３４】
さらに、上記土壌改良剤にガスを吸着するガス吸着剤を添加した場合には、土壌中の腐敗ガスを減少させることができ、植物の根の成長を促進させることができるとともに、微生物に悪影響を与えるガスが減少することによって微生物の増殖や活動を促進させることができ、これによっても土壌改良剤としての効果をより一層向上させることができる。
【００３５】
このように、土壌改良剤は、保水性及び通気性を有する素材と、微生物の餌となる素材と、微生物の住処となる素材とが混在しており、これに酸素剤やガス吸着剤を添加することによって、これらの素材と酸素剤やガス吸着剤との相乗効果によって、単体で酸素剤やガス吸着剤を土壌中に添加した場合よりも土壌改良効果を向上させることができる。
【００３６】
次に、土壌改良器について図面を参照しながら説明すると、図１〜図４に示すように、土壌改良器１は、略円筒状の胴体２の上下部に上下蓋体3,4を着脱自在に螺着し、内部に上記した土壌改良剤５を充填している。
【００３７】
この土壌改良器１は、胴体２の外周面に複数条の凸部６を横縞状に形成して、胴体２の外周面を凹凸状とし、上下の凸部６の間に形成された凹部７に複数個の横長の貫通孔８を円周方向に間隔をあけて形成している。なお、凸部６は、横縞状に限られず、螺旋状に形成してもよい。
【００３８】
このように、土壌改良器１は、胴体２の外周面を凹凸面とし、凹部７に貫通孔８を形成しているために、土壌改良器１を土壌中に埋設した場合に、土壌改良器１の胴体２と土壌との間の凹部７に対応する位置に間隙が形成されることになり、凹部７に形成した貫通孔８での通気抵抗や通水抵抗を低減させることができて、貫通孔８での通気や通水を良好に行うことができ、しかも、土壌改良器１の内部の微生物や栄養分などが貫通孔８から土壌中へ向けて良好に拡散することができるようになっている。
【００３９】
また、土壌改良器１は、上蓋体３の上部及び下蓋体４の下部にも貫通孔9,10をそれぞれ形成している。
【００４０】
なお、土壌改良器１は、上蓋体３を胴体２に着脱自在としているために、土壌中に土壌改良器１を埋設した後でも、上蓋体３だけを胴体２から取外して、内部に土壌改良剤５を補充することができるようになっている。
【００４１】
次に、土壌改良器１を用いた土壌改良方法について図面を参照しながら説明すると、図５に示すように、植物11の根12の周辺の土13に土壌改良器１の外径よりも一回り大きな竪穴14を土壌の状態に応じた数だけ掘削し、その後、各竪穴14に上記した土壌改良器１を載置し、さらに、土壌改良器１の外周と竪穴14の内周との間の隙間に掘削した土13を埋め戻す。
【００４２】
この埋め戻しに際しては、掘削した土13とともに小石やボラ土や焼成リモナイト粒などを混入させてもよい。
【００４３】
これにより、土壌改良器１に充填した土壌改良剤５の作用によって、植物11の根12の周辺の土質を改良することができ、植物11の成長を助長することができる。
【図面の簡単な説明】
【００４４】
【図１】本発明に係る土壌改良器を示す側面図。
【図２】同平面図。
【図３】同側面断面図。
【図４】同平面断面図。
【図５】土壌改良方法を示す説明図。
【符号の説明】
【００４５】
１  土壌改良器
２  胴体
３  上蓋体
４  下蓋体
５  土壌改良剤
６  凸部
７  凹部
８  貫通孔
９  貫通孔
10  貫通孔
11  植物
12  根
13  土
14  竪穴
【図１】
2007009011.tif 000003
【図２】
2007009011.tif 000004
【図３】
2007009011.tif 000005
【図４】
2007009011.tif 000006
【図５】
2007009011.tif 000007